(57)【要約】      （修正有）【課題】紙などの筆記対象物に対する正しい角度からのずれを抑制することができる筆記具を提供する。【解決手段】筆記具１は、本体２と、３本の指を用いて本体２を予め定められた位置（把持領域２２）で支持した際、人差指８２の第二関節と第三関節の間の指側面部８２０に接触する領域（接触領域２０ａ）に対応して設けられ、接触の有無を検出する検出部と、検出部の検出結果に基づいて報知を行う報知部と、を備えて概略構成されている。この筆記具１は、紙などの筆記対象物に対する正しい角度θからのずれを抑制することができる。【選択図】図１
2019166664.tif 000002
【特許請求の範囲】
【請求項１】
本体と、
３本の指を用いて前記本体を予め定められた位置で把持した際、人差指の第二関節と第三関節の間の指側面部に接触する領域に対応して設けられ、接触の有無を検出する検出部と、
前記検出部の検出結果に基づいて報知を行う報知部と、
を備えた筆記具。
【請求項２】
前記報知部は、音、光及び振動の少なくとも１つを用いて報知を行う、
請求項１に記載の筆記具。
【請求項３】
前記検出部は、接触による前記本体の側面の撓みによって状態が切り替わるマイクロスイッチである、
請求項１又は２に記載の筆記具。
【発明の詳細な説明】
【技術分野】
【０００１】
本発明は、筆記具に関する。
【背景技術】
【０００２】
従来の技術として、グリップ部の断面形状を三角形にし、テーパー状の先口部と該グリップ部の境界に円周縁を設けるとともに、該円周縁の後方に、触覚で分かる円周突起もしくは段部を設けた幼児用シャープペンシルが知られている（例えば、特許文献１参照。）。
【０００３】
この幼児用シャープペンシルは、筆記具の正しい持ち方を体得することができ、しかも回しながら筆記することが可能で同じ太さの字を書くことができる。
【先行技術文献】
【特許文献】
【０００４】
【特許文献１】特開平１０−１００５８２号公報
【発明の概要】
【発明が解決しようとする課題】
【０００５】
しかし従来の幼児用シャープペンシルは、グリップ部を正しく把持しても紙とシャープペンシルとの角度が正しい角度であるとは限らない。
【０００６】
従って本発明の目的は、紙などの筆記対象物に対する正しい角度をユーザに自覚させることができる筆記具を提供することにある。
【課題を解決するための手段】
【０００７】
本発明の一態様は、本体と、３本の指を用いて本体を予め定められた位置で把持した際、人差指の第二関節と第三関節の間の指側面部に接触する領域に対応して設けられ、接触の有無を検出する検出部と、検出部の検出結果に基づいて報知を行う報知部と、を備えた筆記具を提供する。
【発明の効果】
【０００８】
本発明によれば、紙などの筆記対象物に対する正しい角度をユーザに自覚させることができる。
【図面の簡単な説明】
【０００９】
【図１】図１（ａ）は、実施の形態に係る筆記具の一例を示す概略図であり、図１（ｂ）は、筆記具の持ち方の一例を示す概略図である。
【図２】図２（ａ）は、実施の形態に係る筆記具の図１（ｂ）のＡ−Ａ線で切断した断面を矢印方向から見た断面図の一例であり、図２（ｂ）は、筆記具の回路図の一例である。
【発明を実施するための形態】
【００１０】
（実施の形態の要約）
実施の形態に係る筆記具は、本体と、３本の指を用いて本体を予め定められた位置で把持した際、人差指の第二関節と第三関節の間の指側面部に接触する領域に対応して設けられ、接触の有無を検出する検出部と、検出部の検出結果に基づいて報知を行う報知部と、を備えて概略構成されている。
【００１１】
この筆記具は、正しい角度で本体が支持された場合、接触が検出されると共に検出結果に応じて報知を行うので、この構成を採用しない場合と比べて、紙などの筆記対象物に対する正しい角度をユーザに自覚させることができる。
【００１２】
[実施の形態]
（筆記具１の概要）
図１（ａ）は、実施の形態に係る筆記具の一例を示す概略図であり、図１（ｂ）は、筆記具の持ち方の一例を示す概略図である。図２（ａ）は、実施の形態に係る筆記具の図１（ｂ）のＡ−Ａ線で切断した断面を矢印方向から見た断面図の一例であり、図２（ｂ）は、筆記具の回路図の一例である。なお、以下に記載する実施の形態に係る各図において、図形間の比率は、実際の比率とは異なる場合がある。また数値範囲を示す「Ａ〜Ｂ」は、Ａ以上Ｂ以下の意味で用いるものとする。
【００１３】
筆記具１は、例えば、図１（ａ）〜図２（ｂ）に示すように、本体２と、３本の指を用いて本体２を予め定められた位置で把持した際、人差指８２の第二関節と第三関節の間の指側面部８２０に接触する領域に対応して設けられ、接触の有無を検出する検出部３と、検出部３の検出結果に基づいて報知を行う報知部４と、を備えて概略構成されている。
【００１４】
この予め定められた位置とは、例えば、図１（ａ）に示す把持領域２２である。また人差指８２の第二関節と第三関節の間に接触する領域とは、例えば、接触領域２０ａである。
【００１５】
この筆記具１は、例えば、図１（ａ）に示すように、本体２が円柱形状を有している。筆記具１は、例えば、鉛筆、シャープペンシル、万年筆などである。なお筆記具１は、例えば、ポインティングデバイスとしてのスタイラスペンであっても良い。本実施の形態の筆記具１は、一例として、スタイラスペンであるものとする。
【００１６】
ここで筆記具１がスタイラスペンである場合、筆記対象物９は、一例として、抵抗膜方式、静電容量方式などのタッチパッドである。本実施の形態の筆記対象物９は、一例として、静電容量方式のタッチパッドである。従って本体２の先端に取り付けられたペン先２４は、例えば、導電性シリコンゴムなどの導電性樹脂によって形成されている。
【００１７】
なお本体２は、一例として、樹脂によって形成されるがこれに限定されず、例えば、金属で形成されても良いし、樹脂と金属とによって形成されても良い。
【００１８】
把持領域２２は、本体２の先端側の領域である。具体的には、把持領域２２は、例えば、図１（ｂ）に示すように、正しい持ち方によって親指８１、人差指８２及び中指８３が接触する、ペン先２４の先端から３ｃｍ程度の位置を含む領域である。
【００１９】
なお把持領域２２は、例えば、断面が円形状に限定されず、三角形状となるようにされても良い。把持領域２２は、三角形状とされることにより、把持する位置がより分かり易くなる。
【００２０】
中心軸１５は、例えば、図１（ａ）に示すように、筆記具１の先端から終端を貫く軸である。そして筆記具１は、この中心軸１５を回転軸とした回転に対して対称な形状を有している。
【００２１】
（検出部３の構成）
本実施の形態の検出部３は、一例として、接触による本体２の側面２０の撓みによって状態が切り替わるマイクロスイッチとして概略構成されている。なお検出部３は、マイクロスイッチに限定されず、荷重を検出するタッチセンサ、荷重センサや歪センサなどであっても良い。
【００２２】
検出部３は、例えば、図２（ａ）に示すように、接触領域２０ａに対応する基板１０上の位置に配置されている。この基板１０は、例えば、プリント配線基板である。
【００２３】
検出部３は、例えば、図２（ａ）に示すように、本体３０と、レバー３１と、を備えて概略構成されている。このレバー３１は、例えば、本体２の裏面２１と接触し、指側面部８２０の接触による本体２の撓みによって本体３０側に移動する。検出部３は、このレバー３１の本体３０側の移動によって第１の状態（例えば、オフ状態）から第２の状態（例えば、オン状態）に切り替わるように構成されている。
【００２４】
検出部３は、例えば、図２（ａ）に示すように、指側面部８２０が接触領域２０ａに接触すると、オフ状態からオン状態に切り替わって後述する回路６を閉じるように構成されているがこれに限定されず、オン状態からオフ状態に切り替わっても良い。
【００２５】
接触領域２０ａは、例えば、図１（ａ）に示すように、ペン先２４の先端から距離Ｌ、離れた位置を含むように設定される。この距離Ｌは、例えば、個人差があるので実験などによって定められる。距離Ｌは、一例として、およそ７〜８ｃｍ程度である。
【００２６】
（報知部４の構成）
報知部４は、音、光及び振動の少なくとも１つを用いて接触が検出されたことを示す報知を行う。本実施の形態では、光によって報知を行う。従って報知部４は、一例として、ＬＥＤ（Light Emitting Diode）素子として概略構成されている。
【００２７】
なお報知部４は、例えば、振動によって報知を行う場合、モータや圧電素子を用いたアクチュエータなどによって構成される。また報知部４は、例えば、音によって報知を行う場合、圧電スピーカなどによって構成される。報知部４は、音、光及び振動を組み合わせて報知するように構成されても良い。なお報知部４は、例えば、一定時間報知を行うように構成されても良い。
【００２８】
この報知部４であるＬＥＤ素子は、例えば、基板１０に配置されている。そして報知部４は、例えば、図２（ｂ）に示すように、回路６の一部を構成している。この回路６は、例えば、検出部３、報知部４及び電池５が直列に接続されて概略構成されている。
【００２９】
電池５は、本体２に配置されている。図２（ｂ）に示すように、回路６は、検出部３がオン状態となると、回路が閉じて報知部４としてのＬＥＤ素子が点灯する。本体２は、ＬＥＤ素子の光が透過する領域を有するように構成されている。
【００３０】
（筆記具１の正しい持ち方について）
筆記具は、例えば、タッチパッドや紙などの筆記対象物９の表面９０と中心軸１５のなす角度θが、鉛筆なら５５〜６０度程度、ボールペンなら６０〜９０度程度の角度で持つことが望ましいとされている。ボールペンは、ペン先の鋼球が回転することで軸内のインクを滲出させて筆記する構造を有しているので、鉛筆と比べて、立てて使うことが望ましい。
【００３１】
筆記具１の正しい持ち方とは、一例として、図１（ｂ）に示すように、手８の小指球８０を表面９０に接触させて筆記具１と表面９０との角度θが上述の角度となるように把持領域２２を親指８１、人差指８２及び中指８３によって支持すると共に、人差指８２のＰＩＰ関節（proximal interphalangeal joint）である第二関節と、ＭＰ関節（metacarpophalangeal joint）である第三関節と、の間の指側面部８２０を接触領域２０ａに接触させる持ち方である。
【００３２】
つまりユーザは、正しい持ち方として、親指８１、人差指８２及び中指８３を用いて把持領域２２を把持すると共に、指側面部８２０を接触領域２０ａに接触させて筆記具１を保持する。
【００３３】
ここでユーザが３つの指で把持領域２２を正しく把持しても親指８１と人差指８２の付け根辺りの指又部８１０に本体２が接触するような持ち方だと角度θが上述の角度より小さくなって正しい持ち方からずれてしまう。なお検出部３は、本体２が指又部８１０に接触しても状態が切り替わらない位置に配置されている。
【００３４】
しかし本実施の形態の筆記具１は、正しい角度θで把持すると指側面部８２０が接触領域２０ａに接触して報知を行うので、ユーザが正しい持ち方を自覚でき、その結果、角度θのずれが小さくなる。
【００３５】
（実施の形態の効果）
本実施の形態に係る筆記具１は、紙などの筆記対象物９に対する正しい角度θをユーザに自覚させることができる。具体的には、筆記具１は、正しい持ち方がなされた際、人差指８２の第二関節と第三関節の間の指側面部８２０が接触する。この筆記具１は、この接触領域２０ａに検出部３を配置し、接触が検出されると報知を行うので、この構成を採用しない場合と比べて、ユーザが自覚して持ち方を修正し、正しい角度θからのずれを抑制することができる。
【００３６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００３７】
１…筆記具、２…本体、３…検出部、４…報知部、５…電池、６…回路、８…手、９…筆記対象物、１０…基板、１５…中心軸、２０ａ…接触領域、２１…裏面、２２…把持領域、２４…ペン先、３０…本体、３１…レバー、８０…小指球、８１…親指、８２…人差指、８３…中指、９０…表面、８１０…指又部、８２０…指側面部
【図１】
2019166664.tif 000003
【図２】
2019166664.tif 000004